(57)【特許請求の範囲】
【請求項１】
所定の基材に対して取り付けられ蛍光管を保持する蛍光管保持具であって、
一方の面に蛍光管の保持部が形成された本体部と、
前記本体部における前記一方の面と反対側の他方の面に突設され前記基材に形成されたネジ穴に螺合されるネジ山が形成されたネジ突起部と、
前記ネジ突起部が前記基材のネジ穴に螺着された場合に前記基材に形成された複数の突起部各々を係止する係止部と、
を具備してなることを特徴とする蛍光管保持具。
【請求項２】
前記係止部が、前記本体部の他方の面における前記ネジ突起部を挟む両側各々に形成され前記ネジ突起部が前記基材のネジ穴に螺着された場合に前記基材に形成された複数の突起部各々を嵌入させる複数の被嵌入孔により構成されてなる請求項１に記載の蛍光管保持具。
【請求項３】
前記被嵌入孔の深さがこれに嵌入する前記基材の突起部の高さ以下に形成されてなる請求項２に記載の蛍光管保持具。
【請求項４】
前記本体部の他方の面における、前記ネジ突起部が前記基材のネジ穴に螺合される際に前記基材の突起部によって摺動される部分に、前記本体部の他方の面の縁部から前記係止部に向けて前記基材の突起部を案内する溝であって前記基材の突起部の高さよりも浅い案内溝が形成されてなる請求項１〜３のいずれかに記載の蛍光管保持具。
【請求項５】
前記案内溝が、前記本体部の他方の面の縁部から前記係止部の近傍の位置まで形成されてなる請求項４に記載の蛍光管保持具。
【請求項６】
前記案内溝が、前記本体部の他方の面の縁部側から前記係止部に近い側に向けて徐々に浅くなるよう形成されてなる請求項４又は５のいずれかに記載の蛍光管保持具。
【請求項７】
蛍光管を保持する蛍光管保持具と、該蛍光管保持具が取り付けられる所定の基材とを有する蛍光管保持機構であって、
前記基材に、ネジ穴と該ネジ穴を挟む両側各々に形成された複数の突起部が設けられ、
前記蛍光管保持具に、一方の面に蛍光管の保持部が形成された本体部及び該本体部における前記一方の面と反対側の他方の面に突設され前記基材のネジ穴に螺合されるネジ山が形成されたネジ突起部が設けられるとともに、
前記ネジ突起部が前記基材のネジ穴に螺着された場合に前記基材に形成された複数の突起部各々を係止する係止機構が設けられてなることを特徴とする蛍光管保持機構。
【請求項８】
係止機構が、前記本体部の他方の面における前記ネジ突起部を挟んだ両側各々に形成され前記ネジ突起部が前記基材のネジ穴に螺着された場合に前記基材の突起部各々を嵌入させる複数の被嵌入孔により構成されてなる請求項７に記載の蛍光管保持機構。
【請求項９】
前記基材と前記蛍光管保持具の前記本体部との間に、前記基材の突起部及び前記蛍光管保持具の前記ネジ突起部各々の貫通孔が形成され前記蛍光管の光を反射する反射シートが配置されてなる請求項８に記載の蛍光管保持機構。
【請求項１０】
液晶表示部の背面照明を行う蛍光管を保持する上記請求項９に記載の蛍光管保持機構を備えてなることを特徴する液晶表示装置。
【発明の詳細な説明】
【技術分野】
【０００１】
本発明は、所定の基材に対して取り付けられ蛍光管を保持する蛍光管保持具、その蛍光管保持具を備えた蛍光管保持機構、及びその蛍光管保持機構を備えた液晶表示装置に関するものである。
【背景技術】
【０００２】
一般に、液晶表示装置では、液晶表示部（液晶パネル）のバックライト（背面照明手段）として蛍光管が用いられる。この蛍光管は、通常、液晶表示部の背面側に配置される金属製の筐体等の所定の基材に取り付けられた蛍光管保持具（蛍光管ホルダ或いはランプクリップともいう）により保持される。
ここで、蛍光管保持具の基材に対する従来の取付機構としては、例えば、プッシュ式、ねじ込み式、或いは回転式の取付機構がある。
プッシュ式の取付機構とは、弾性変形する抜け止め部（例えば、円錐状の抜け止め部）が先端に形成された突起部を蛍光管保持具に設け、その突起部の先端が基材に形成された貫通孔に押圧されて貫通することにより、抜け止め部によって蛍光管保持具が基材に保持される機構である。
また、ねじ込み式の取付機構は、ネジ山が形成された突起部を蛍光管保持具に設け、その突起部が基材に形成されたネジ穴に螺着されることにより蛍光管保持具が基材に取り付けられる機構である。
また、回転式の取付機構は、例えば、特許文献１に示されるように、楕円板のような偏心形状の抜け止め部が先端に形成された突起部を蛍光管保持具に設け、その抜け止め部を、その外縁にほぼ沿う形状の基材側の孔に挿通させた後、蛍光管保持具を回転させることにより、抜け止め部によって蛍光管保持具が基材に保持される機構である。
【０００３】
図５は、特許文献１に示される蛍光管固定装置（蛍光管保持具）を、主として基材に対する取付機構（回転式の取付機構）を説明するために簡略化して表した蛍光管保持具Ｚを表すものである。
図５に示すように、従来の蛍光管保持具Ｚは、所定の本体部１０’に蛍光管８０を基材６０’との間に挟み込むことにより保持する保持部１１’が設けられるとともに、本体部１０’の下面にほぼ楕円板状の抜け止め部５１が先端に形成された突起部５０が設けられている。そして、その抜け止め部５１が、その外縁にほぼ沿う形状（ほぼ楕円状）で基材６０’に形成された挿通孔６１’に挿通させた後、蛍光管保持具Ｚを回転させることにより、抜け止め部５１が基材６０’に係合することによって蛍光管保持具Ｚが基材６０’に保持される。
ここで、液晶表示装置では、液晶表示部の背面に対し、蛍光管８０の光を効率的かつ均一に照射させるため、図５に示すように、蛍光管保持具Ｚと基材６０’との間に、蛍光管の光を反射する反射シート７０’（通常は、白色のシート）が配置される。この場合、反射シート７０’にも基材６０’の挿通孔６１’とほぼ同形状の挿通孔７１’が形成されることになる。この場合、本体部１０’の下面と抜け止め部５１との間の間隔ｄは、基材６０’と反射シート７０’とを重ねた厚みとほぼ一致するように設定される。
【特許文献１】実開平４−３４７５号公報
【発明の開示】
【発明が解決しようとする課題】
【０００４】
しかしながら、反射シート７０’は、紙又はプラスチック製の薄膜フィルム等の比較的柔らかな素材で形成されるため、蛍光管保持具の取付機構が、図５に示すような回転式の取付機構である場合、その取り付けや取り外しの際に本体部１０’の下面が反射シート７０’に擦れて反射シート７０’を傷つけやすいという問題点があった。このことは、ねじ込み式の蛍光管保持具であっても同様である。
これに対し、前述したプッシュ式の蛍光管保持具は、取り付け時に回転させないため、反射シートを傷つけやすいという問題は生じないものの、これを基材から取り外す場合に、抜け止め部をペンチ等によって押さえる若しくは潰す必要があり、部品交換やリサイクル作業が困難になるという問題点があった。
従って、本発明は上記事情に鑑みてなされたものであり、その目的とするところは、取り付け先となる基材側の表面（反射シート等）を傷つけることなく容易に着脱可能な蛍光管保持具、蛍光管保持機構、及びそれを具備する液晶表示装置を提供することにある。
【課題を解決するための手段】
【０００５】
上記目的を達成するために本発明は、所定の基材に対して取り付けられ蛍光管を保持する蛍光管保持具若しくはそれを用いた蛍光管保持機構、或いはそのような蛍光管保持機構により液晶表示部の背面照明を行う蛍光管が保持されるよう構成された液晶表示装置として構成されるものであり、蛍光管保持具に、一方の面（以下、上面という）に蛍光管の保持部が形成された本体部と、その他方の面（前記一方の面と反対側の面、以下、下面という）に突設され前記基材に形成されたネジ穴に螺合されるネジ山が形成されたネジ突起部とが設けられ、さらに、前記ネジ突起部が前記基材のネジ穴に螺着された場合に前記基材に形成された複数の突起部各々を係止する係止機構（蛍光管保持具に設けられた係止部等）を備えて構成されるものである。この場合、前記基材には、前記ネジ突起部が螺合されるネジ穴とそのネジ穴を挟む両側各々に形成され、前記ネジ突起部がネジ穴に羅着された場合に前記蛍光管保持具側の被嵌入孔等によって係止される複数の突起部とが設けられる。
これにより、蛍光管保持具が基材に取り付けられる（螺合される）際に、少なくとも基材側の突起部が前記係止機構（本体部の被嵌入孔等）により係止されるまでは、その本体部の下面と基材側の突起部とが当接することにより、即ち、基材側の突起部がスペーサとしての機能を果たすことにより、本体部の下面が基材側の表面（例えば、基材の表面に配置される反射シート）に接触しないようにできる。従って、基材側の表面（反射シート等）を傷つけることなく容易に蛍光管保持具を着脱できる。
従って、前記基材と前記蛍光管保持具の前記本体部との間に、前記基材の突起部及び前記蛍光管保持具の前記ネジ突起部各々の貫通孔が形成され、前記蛍光管の光を反射する反射シートが配置されている場合に特に好適である。なお、基材の表面に反射シートに相当する反射層が直接形成されているような場合も同様である。
さらに、上記構成によれば、前記係止機構（蛍光管保持具の前記係止部等）により、基材側の突起部が係止された状態（以下、固定状態という）で蛍光管保持具が基材に固定されるので、振動等によってネジ穴への螺着（固定）が緩むことを防止できる。
【０００６】
前記係止部としては、例えば、前記本体部の他方の面における前記ネジ突起部を挟む両側各々に形成されたものであって、前記ネジ突起部が前記基材のネジ穴に螺着された場合に前記基材に形成された複数の突起部各々を嵌入させる複数の被嵌入孔により構成されたものが考えられる。
また、蛍光管保持具の前記被嵌入孔の深さが、これに嵌入する前記基材の突起部の高さ以下に形成されたものであれば好適である。
即ち、基材の突起部の高さと前記被嵌入孔の深さとの差分を適切に設定（設計）することにより、前記固定状態における、前記本体部の下面と基材側の表面との間の接触圧力を適切に設定（設計）したり、それらの間に隙間を設けたりすることが可能となる。
【０００７】
また、前記本体部の下面における、前記ネジ突起部が前記基材のネジ穴に螺合される際に前記基材の突起部によって摺動される部分に、前記本体部の下面の縁部から前記係止部に向けて前記基材の突起部を案内する溝であって前記基材の突起部の高さよりも浅い案内溝が形成されたものであればなお好適である。
これにより、前記ネジ突起部と基材のネジ穴との間に多少のガタ（遊び）があっても、基材の突起部が前記本体部の前記係止部に誘導されて当該蛍光管保持具が適切に位置決めされる。なお、前記案内溝が基材の突起部の高さよりも浅く形成されるのは、前記固定状態となる前に、前記本体部の下面と基材の表面とが擦れてしまうことを防止するためである。
この場合、前記案内溝が、前記本体部の下面の縁部から前記係止部の近傍の位置まで形成されたものであれば、作業者が当該蛍光管保持具を基材側にねじ込んだ際に、一旦、基材の突設部と前記本体部の下面とが当接する状態となった直後に、基材の突起部が前記被嵌入孔等からなる前記係止部に対して比較的大きな段差を経て係止される（嵌入する）。その結果、基材の突起部が前記係止部（被嵌入孔等）に「カチッ」と係止される（嵌入する）感覚が作業者に明確となり、ねじ込みをどこで止めて位置決めすればよいかを容易に把握できる。その結果、蛍光管保持具により保持される蛍光管が正確な向きで固定される。
また、前記案内溝が、前記本体部の下面の縁部から前記係止部に近い側に向けて徐々に浅くなるよう形成されたものであれば、当該蛍光管保持具のねじ込み作業がスムーズとなる。
なお、当該蛍光管保持具のねじ込み作業をスムーズにできる構成としては、必ずしも前記案内溝を設ける必要はなく、例えば、前記本体部の下面における、前記ネジ突起部が前記基材のネジ穴に螺合される際に前記基材の突起部によって摺動される部分を含む領域に、前記本体部材の下面の縁部側の方が前記係止部に近い側よりも前記本体部の厚みが薄厚となるテーパ部が形成された構成も考えられる。本構成は、前記ネジ突起部と基材のネジ穴との間のガタ（遊び）がそれほど問題にならないような場合に特に好適である。
【発明の効果】
【０００８】
本発明によれば、蛍光管保持具が基材に取り付けられる（螺合される）際に、少なくとも基材側の突起部が所定の係止機構或いは本体部の係止部により係止されるまでは、基材側の突起部が前記本体部の下面と基材側の表面との間のスペーサとしての機能を果たすことにより、本体部の下面が基材側の表面（例えば、基材の表面に配置される反射シート）に接触しないようにできる。従って、基材側の表面（反射シート等）を傷つけることなく容易に蛍光管保持具を着脱できる。
しかも、蛍光管保持具が、その係止部或いは所定の係止機構により係止された状態で基材に固定されるので、振動等によってネジ穴への螺着（固定）が緩むことを防止できる。
また、蛍光管保持具の係止部を構成する前記被嵌入孔の深さが、これに嵌入する前記基材の突起部の高さ以下に形成されたものであれば、前記本体部の下面と基材側の表面との間の接触圧力を適切に設定（設計）したり、それらの間に隙間を設けたりすることが可能となり好適である。
また、前記本体部の下面に前記案内溝が形成されたものであれば、基材の突起部が前記本体部の係止部に誘導されて当該蛍光管保持具が適切に位置決めされので好適である。特に、その案内溝が、前記本体部の下面の縁部から前記係止部の近傍の位置まで形成されたものであれば、基材の突起部が前記係止部に係止される（前記被嵌入孔に嵌入する）際に「カチッ」という感覚が作業者に明確となり、ねじ込みをどこで止めて位置決めすればよいかを容易に把握でき好適である。
また、前記案内溝が、前記本体部の下面の縁部から前記係止部に近い側に向けて徐々に浅くなるよう形成されたものや、或いは、前記本体部の下面に前記テーパ部が形成されたものであれば、当該蛍光管保持具のねじ込み作業がスムーズとなり好適である。
【発明を実施するための最良の形態】
【０００９】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る蛍光管保持具Ｘの形状を表す図、図２は蛍光管保持具Ｘの基材に対する取付機構を表す断面図、図３は液晶表示装置における液晶表示部の背面を照明するバックライト部Ｙの概略正面図、図４は本発明の実施例に係る蛍光管保持機構における係止機構の一例を表す図、図５は従来の蛍光管保持具Ｚを表す図である。
【００１０】
本発明の実施形態に係る蛍光管保持具Ｘは、図３に示すように、液晶表示装置が備える液晶表示部（不図示）の背面照明を行うバックライト部Ｙにおいて、その光源となる蛍光管８０を保持するものであり、液晶表示部の背面側に配置される基材６０（例えば、金属製の筐体）に対して取り付けられた状態で蛍光管８０を保持するものである。
また、基材６０の表面（蛍光管８０が保持される側の面）には、蛍光管保持具Ｘとの間に挟まれるように、蛍光管８０の光を反射する反射シート７０が配置される。この反射シート７０は、その表面（液晶表示部に向かう面）が例えば均一な白色となっている。
【００１１】
次に、図１及び図２を参照しつつ、蛍光管保持具Ｘの構造（形状）及び基材６０に対する取付機構について説明する。図１において、蛍光管保持具Ｘの正面、上面、下面及び側面各々を表す図を示しているが、ここでいう正面、上面、…等は便宜上そのように称するものであり、蛍光管保持具Ｘが液晶表示装置に取り付けられた状態での向きを意味するものではない。具体的には、ここでいう「上面」は、蛍光管保持具Ｘが液晶表示装置に取り付けられた場合に、液晶表示部（液晶パネル）の背面に向かう面であり、「下面」はその反対面を意味する。また、ここでいう「正面」は、当該蛍光管保持具Ｘに保持される蛍光管８０の軸方向（長手方向）に向かう面であり、「側面」はそれに直交する方向の面である。
蛍光管保持具Ｘは、その全体がプラスチックや樹脂等からなる一体成型品であり、液晶表示部に対する照射光の強度に分布（ムラ）が生じないよう、反射シート７０の表面と同じ色（通常は白色）で構成されている。
図１に示すように、蛍光管保持具Ｘは、一方の面（以下、便宜上、上面という）に蛍光管の保持部２０が形成された板状本体部１０を有している。
さらに、その板状本体部１０の上面には、保持部２０よりも高く突設された上面側突起部３０が設けられている。この上面側突起部３０は、板状本体部１０の上面側に配置される液晶パネル等と蛍光管８０とが干渉しないように、保持部２０に保持される蛍光管８０の保持空間を確保するスペーサの役割を果たすものである。また、保持部２０各々は、正面方向（保持される蛍光管８０の軸方向）から見て概ね馬蹄状（概ねＵ字状ともいえる）に形成されており、その内側には、蛍光管８０の外縁（外周）の範囲よりも若干小さな範囲内となる３箇所に、蛍光管８０の周面を支持する３つの支持部２１が形成されている。この保持部２０の内側に蛍光管８０が押圧されると、保持部２０は弾性変形して広がり、蛍光管８０が保持部２０の内側に嵌め込まれる。そして、蛍光管８０が嵌め込まれると、保持部２０の弾性によって３つの支持部２１が蛍光管８０の周面に当接し、その支持部２１によって蛍光管８０が保持部２０ごとに３点支持される。
【００１２】
一方、板状本体部１０の他方の面（前記一方の面に対して反対側の面、以下、便宜上、下面という）には、基材６０に形成されたネジ穴６１（図２参照、これについては後述する）に螺合されるネジ山４１が形成された突起部４０（以下、ネジ突起部４０という）が突設されている。なお、図１における下面図には、ネジ山４１の記載が省略されている。
さらに、板状本体部１０の下面におけるネジ突起部４０を挟む両側各々には、ネジ突起部４０が基材６０のネジ穴６１に螺着された場合に基材６０に形成された複数の突起部６３（図２参照、これについては後述する）各々を嵌入させることによってその突起部６３を係止する複数の係止孔１１（係止部及び被嵌入孔の一例）が形成されている。
図１に示す例では、係止孔１１は、ネジ突起部４０を中心に、その両側のほぼ対称な位置に１つずつ（合計２つ）設けられている。
【００１３】
一方、基材６０には、図２に示すように、蛍光管保持具Ｘのネジ突起部４０と螺合するネジ山６２ａが形成されたネジ穴６１が、ネジタップ加工部６２の内側に形成され、さらに、そのネジ穴６１を挟む両側各々には、蛍光管保持具Ｘのネジ突起部４０がネジ穴６１に螺着された場合に、蛍光管保持具Ｘの係止孔１１に嵌入して係止される複数の突起部６３が設けられている。
図２に示す例では、突起部６３は、蛍光管保持具Ｘ側の係止孔１１と対応するように、ネジ穴６１を中心に、その両側のほぼ対称な位置に１つずつ（合計２つ）設けられている。
また、基材６０と蛍光管保持具Ｘの板状本体部１０との間に配置され、蛍光管８０の光を反射する反射シート７０には、基材６０の突起部６３の貫通孔７２、及び蛍光管保持具Ｘのネジ突起部４０の貫通孔７１が形成されている。
また、図２に示すように、蛍光管保持具Ｘ側の係止孔１１の深さｄ１は、これに嵌入して係止される基材６０の突起部６３の高さｄ２以下に形成（ｄ１≦ｄ２）されている。なお、蛍光管保持具Ｘ側の係止孔１１の深さｄ１は、これに嵌入する基材６０の突起部６３の高さｄ２から、反射シート７０の厚み分を差し引いた長さとほぼ等しい深さ、或いはそれ以下の深さに形成されている。
また、図１に示すように、蛍光管保持具Ｘの板状本体部１０の下面には、ネジ突起部４０が基材６０のネジ穴６１に螺合される（ねじ込まれる）際に、その基材６０の突起部６３によって摺動される部分（突起部６３の先端が当接して擦られる部分）に、板状本体部１０の下面の縁部から係止孔１１に向けて基材６０の突起部６３を案内する案内溝１２ａ、１２ｂ（以下、これらを総称する場合、案内溝１２と称する）が形成されている。この案内溝１２の深さは、基材６０の突起部６３の高さｄ２よりも浅く形成されている。
【００１４】
ここで、一方の案内溝１２ａは、ネジ突起部４０が基材６０のネジ穴６１にねじ込まれる際（図１の例では、基材６０に向かって時計回りに回転させられた際）に、基材６０の突起部６３によってそれが係止孔１１に嵌入して係止される前に摺動される部分に形成された溝である。以下、この案内溝１２ａを前段の案内溝１２ａという。
他方の案内溝１２ｂは、ネジ突起部４０が基材６０のネジ穴６１にねじ込まれる際に、基材６０の突起部６３が係止孔１１に嵌入後、さらにその嵌入が外れて行き過ぎた場合に、その突起部６３によって摺動される部分に形成された溝である。以下、この案内溝１２ｂを後段の案内溝１２ｂという。
また、図１の下面図に示すように、案内溝１２は、板状本体部１０の下面の縁部から係止孔１１の近傍の位置まで形成されており、係止孔１１には直接的に繋がっていない。
また、図１の側面図に示すように、案内溝１２は、板状本体部１０の下面の縁部側から係止孔１１に近い側に向けて徐々に浅くなるよう形成されている。なお、本実実施形態では、案内溝１２の深さは、係止孔１１の深さよりも浅く形成されている。
また、上面側突起部３０は、ネジ突起部４０の軸方向に沿って形成され、さらに、これを摘んでネジ突起部４０を基材６０のネジ穴６１にねじ込む作業を行いやすいように、上面方向（ネジ突起部４０の軸方向）から見て一の方向に伸びた形状（図１に示す例では上面方向から見てほぼ楕円状）に形成されている。即ち、上面側突起部３０は、スペーサとして機能するとともに、当該蛍光管保持具Ｘを基材６０にねじ込む際の取手部としても機能する。
【００１５】
次に、蛍光管保持具Ｘ及びそれが装着される基材６０が図１及び図２に示す構成を有することによる作用効果について説明する。
基材６０の表面に突起部６３が設けられ、その高さより浅い係止孔１１が蛍光管保持具Ｘの下面に設けられていることにより、蛍光管保持具Ｘが基材６０にねじ込まれて取り付けられる（螺合される）際に、基材６０側の突起部６３が板状本体部１０の係止孔１１に嵌入して係止されるまでは、その板状本体部１０の下面と基材６０側の突起部６３とが当接し、突起部６３がスペーサとしての機能を果たすことになり、板状本体部１０の下面が基材６０側の表面（ここでは、基材６０の表面に配置される反射シート７０）に接触しないようにできる。従って、基材６０側の反射シート７０を傷つけることなく容易に蛍光管保持具Ｘを着脱できる。
さらに、最終的には、蛍光管保持具Ｘの係止孔１１に、基材６０側の突起部６３が嵌入した状態（固定状態）で蛍光管保持具Ｘが基材６０に固定されるので、振動等によってネジ突起部４０とネジ穴６３との螺着（固定）が緩むことを防止できる。
【００１６】
また、基材の突起部の高さｄ２と蛍光管保持具Ｘの係止孔１１の深さｄ１との差分（ｄ２―ｄ１）を適切に設定（設計）することにより、前記固定状態における、板状本体部１０の下面と反射シート７０の表面（基材６０側の表面）との間の接触圧力を適切に設定（設計）したり、それらの間に隙間を設けたりすることが可能となる。
また、板状本体部１０の下面における基材６０の突起部６３によって摺動される部分に、案内溝１２が形成されているので、ネジ突起部４０と基材６０のネジ穴６１との間に多少のガタ（遊び）があっても、基材６０の突起部６３が板状本体部１０の係止孔１１に誘導され、当該蛍光管保持具Ｘが適切に位置決めされる。なお、案内溝１２が基材６０の突起部６３の高さよりも反射シート７０の厚み分以上浅く形成されることにより、前記固定状態となる前に、板状本体部１０の下面と反射シート７０の表面とが擦れてしまうことを防止できる。
【００１７】
また、前述したように、案内溝１２は、板状本体部１０の下面の縁部から係止孔１１の近傍の位置まで形成され、係止孔１１に直接繋がっていない。このため、作業者が蛍光管保持具Ｘを基材６０側にねじ込んだ際に、一旦、基材６０の突設部６３と板状本体部１０の下面（係止孔１１の近傍部分の表面）とが当接する状態となった直後に、突起部６３が係止孔１１に対して比較的大きな段差を経て嵌入する。その結果、突起部６３が係止孔１１に「カチッ」と嵌入した感覚が作業者に明確となり、ねじ込みをどこで止めて位置決めすればよいかを容易に把握できる。その結果、蛍光管保持具Ｘにより保持される蛍光管８０が正確な向きで固定される。さらに、案内溝１２が、板状本体部１０の下面の縁部側から係止孔１１に近い側に向けて徐々に浅くなるよう形成されているので、蛍光管保持具Ｘのねじ込み作業がスムーズとなる。
さらに、案内溝１２として、前記前段の案内溝１２ａに加え、前記後段の案内溝１２ｂも形成されていることにより、ネジ突起部４０が基材６０のネジ穴６１にねじ込まれて基材６０の突起部６３が係止孔１１に嵌入後、さらにその嵌入が外れて行き過ぎた場合（前記固定状態よりも行き過ぎた場合）に、前記固定状態に戻す操作がスムーズとなる。これにより、作業者は、前記固定状態よりも行き過ぎてねじ込んでしまうことを恐れることなく、素早く蛍光管保持具Ｘをねじ込むことができ、前記固定状態よりも行き過ぎたときは、その行き過ぎた少しの分だけゆっくり元に戻すという作業が可能となる。その結果、前記固定状態よりも行きすぎてねじ込むことを恐れて、ゆっくり蛍光管保持具Ｘをねじ込む場合よりも、蛍光管保持具Ｘの取り付け時間を短縮することができる。
なお、ネジ突起部４０とネジ穴６１との確実な螺合（固定）と、そのねじ込み作業の作業性とのバランスを考慮すれば、ネジ突起部４０のネジ山４１とこれと螺合するネジ山６２ａは、微小角度角度から２回転分程度（ほぼ３６０°）の回転により螺着する（前記固定状態となる）ように形成されていることが望ましい。
【００１８】
ところで、蛍光管保持具Ｘのねじ込み作業をスムーズにできる構成としては、必ずしも案内溝１２を設ける必要はない。
例えば、ネジ突起部４０と基材６０のネジ穴６１との間のガタ（遊び）がそれほど問題にならないような場合であれば、板状本体部１０の下面に、ネジ突起部４０が基材６０のネジ穴６１に螺合される際に基材の突起部によって摺動される部分を含む一定領域において、板状部材１０の下面の縁部の方が係止孔１１に近い側よりも板状本体部１０の厚みが薄厚となるテーパ部（傾斜面）が形成された構成も考えられる。
また、前述の実施形態では、ネジ突起部４０が基材６０のネジ穴６１に螺着された場合に基材６０の突起部６３各々を係止する係止機構の例として、蛍光管保持具Ｘに基材６０の突起部６３を嵌入させる係止孔１１が形成された構成を示したが、これに限るものではない。
図４は、本発明の実施例に係る蛍光管保機構における係止機構の一例を表す図（平面図）である。なお、図４に示す蛍光管保持具Ｘ’は、例えば前記蛍光管保持具Ｘから前記嵌入孔１１を除いた構成を有するものである。
前記係止機構としては、例えば図４に示すように、蛍光管保持具Ｘ’が基材６０に対して螺着されて所定の固定位置に到達した場合に、基材６０の突起部６３が、蛍光管保持具Ｘ’における板状本体部１０の縁部１０ａによって係止される機構等も考えられる。
【産業上の利用可能性】
【００１９】
本発明は、蛍光管保持具への利用が可能である。
【図面の簡単な説明】
【００２０】
【図１】本発明の実施形態に係る蛍光管保持具Ｘの形状を表す図。
【図２】蛍光管保持具Ｘの基材に対する取付機構を表す断面図。
【図３】液晶表示装置における液晶表示部の背面を照明するバックライト部Ｙの概略正面図。
【図４】本発明の実施例に係る蛍光管保持機構における係止機構の一例を表す図。
【図５】従来の蛍光管保持具Ｚを表す図。
【符号の説明】
【００２１】
Ｘ、Ｘ’…蛍光管保持具
１０…板状本体部
１１…係止孔
１２…案内溝
２０…保持部
２１…支持部
３０…上面側突起部
４０…ネジ突起部
４１、６２ａ…ネジ山
６０…基材
６１…ネジ穴
６２…ネジタップ加工部
７０…反射シート
７１、７２…貫通孔
８０…蛍光管
【図１】
0004397881.tif 000002
【図２】
0004397881.tif 000003
【図３】
0004397881.tif 000004
【図４】
0004397881.tif 000005
【図５】
0004397881.tif 000006